【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
薄型錠剤を入れるための包装体であって、
収容部材を備え、
前記収容部材が、
入口と、
前記入口から窪んだ収容部と、
を含み、
前記入口から挿入された物体による力が、前記収容部に収容された前記薄型錠剤の一部に印加される力印加時に、前記収容部に収容された前記薄型錠剤の少なくとも一部が前記入口に向かって動く構造を、前記収容部材がもつ、
包装体。
【請求項２】
前記力印加時に、前記収容部に収容された前記薄型錠剤の前記少なくとも一部が前記入口に向かって動く前記構造が、前記力印加時に、前記収容部に収容された前記薄型錠剤の他の一部が前記入口から突出する構造を含む、
請求項１に記載の包装体。
【請求項３】
前記入口が、仮想的な平面に平行に広がり、
前記収容部が、前記薄型錠剤を滑らせるための滑動面を前記収容部の内部に含み、
前記滑動面が、前記仮想的な平面に直交する方向において前記収容部の他の部分と重ならず、
前記滑動面が、前記仮想的な平面に対して傾斜している、
請求項１又は請求項２に記載の包装体。
【請求項４】
前記仮想的な平面に対する前記滑動面の傾斜角度が、０度以上、７０度以下であり、
前記滑動面のうちの前記入口に最も近い領域における前記傾斜角度が０度より大きい、
請求項３に記載の包装体。
【請求項５】
前記仮想的な平面に対する前記滑動面の前記傾斜角度が、前記入口から離れるにつれて小さくなる、
請求項４に記載の包装体。
【請求項６】
前記入口を少なくとも部分的に覆うカバーを含む、
請求項１から請求項５のいずれか一項に記載の包装体。
【請求項７】
前記収容部材が、前記収容部の外部において前記入口から広がる余白部を含み、
前記包装体が、前記カバーを剥離可能に前記余白部に接着する接着層を含む、
請求項６に記載の包装体。
【請求項８】
請求項１から請求項７のいずれか一項に記載の包装体と、
前記包装体の前記収容部内に収容された前記薄型錠剤と、
を備える、錠剤入り包装体。
【請求項９】
請求項３から請求項５のいずれか一項に記載の包装体と、
前記包装体の前記収容部内に収容された前記薄型錠剤と、
を備え、
前記包装体が、前記入口を少なくとも部分的に覆うカバーを含み、
前記薄型錠剤が、
平面である２つの表面を含む本体と、
少なくとも１つの前記表面に設けられた突起と、
を備え、
前記２つの表面が、第１の表面と第２の表面とを含み、
前記突起が、前記第１の表面に設けられ、
前記第２の表面の外縁が前記滑動面上に接触した状態で前記薄型錠剤が前記収容部内に位置するとき、前記第１の表面に設けられた前記突起が前記カバーに向く、
錠剤入り包装体。
【請求項１０】
請求項３から請求項５のいずれか一項に記載の包装体と、
前記包装体の前記収容部内に収容された前記薄型錠剤と、
を備え、
前記入口が、前記仮想的な平面に平行な円であり、
前記滑動面が、前記仮想的な平面に直交する仮想的な中心軸の周りで回転対称であり、
前記仮想的な中心軸が、前記入口の中心を通り、
前記滑動面が、前記入口から前記収容部内部において前記仮想的な中心軸に交わる位置まで連続的に広がる、
錠剤入り包装体。
【請求項１１】
前記収容部が前記収容部の内部に、
前記薄型錠剤を載置することに適した載置台と、
前記入口から遠ざかる方向に向かって窪んだ溝と、
を含み、
前記載置台が、前記入口に向いた対向面を含み、
前記溝が、前記対向面の外縁の少なくとも一部から窪んだ、
請求項２に記載の包装体。
【請求項１２】
前記溝が、前記対向面の前記外縁の全体から窪んだ、
請求項１１に記載の包装体。
【請求項１３】
前記入口を少なくとも部分的に覆うカバーを含む、
請求項１１又は請求項１２に記載の包装体。
【請求項１４】
前記収容部材が、前記収容部の外部において前記入口から広がる余白部を含み、
前記包装体が、前記カバーを剥離可能に前記余白部に接着する接着層を含む、
請求項１３に記載の包装体。
【請求項１５】
請求項１１から請求項１４のいずれか一項に記載の包装体と、
前記包装体の前記収容部内に収容された前記薄型錠剤と、
を備え、
前記薄型錠剤の一部が、前記入口と前記溝との間に位置する、
錠剤入り包装体。
【請求項１６】
請求項１３又は請求項１４に記載の包装体と、
前記包装体の前記収容部内に収容された前記薄型錠剤と、
を備え、
前記薄型錠剤が、
平面である２つの表面を含む本体と、
少なくとも１つの前記表面に設けられた少なくとも１つの突起と、
を備え、
前記２つの表面が、第１の表面と第２の表面とを含み、
前記少なくとも１つの突起のうちの１つの前記突起が、前記第１の表面に設けられ、
前記薄型錠剤が前記載置台に載置された載置状態において、前記第１の表面が、前記カバーに向き、
前記載置状態において、前記第２の表面が、前記載置台に向き、
前記載置状態において、前記薄型錠剤の一部が、前記入口と前記溝との間に位置し、
前記載置状態において、前記第１の表面に設けられた前記突起が前記カバーに向く、
錠剤入り包装体。
【請求項１７】
前記少なくとも１つの突起のうちの別の前記突起が、前記第２の表面に設けられ、
前記載置台が、前記対向面から窪んだ受容穴を含み、
前記受容穴が、前記入口から遠ざかる方向に向けて窪み、
前記載置状態において、前記第２の表面に設けられた前記突起の少なくとも一部が、前記受容穴に受容される、
請求項１６に記載の、錠剤入り包装体。
【請求項１８】
薄型錠剤を入れるための包装体の収容部材の製造方法であって、
前記収容部材が、
入口と、
前記入口から窪んだ収容部と、
を含み、
前記入口から挿入された物体による力が、前記収容部に収容された前記薄型錠剤の一部に印加される力印加時に、前記収容部に収容された前記薄型錠剤の少なくとも一部が前記入口に向かって動く構造を、前記収容部材がもち、
前記製造方法が、
前記収容部に沿った形状の型を用意する工程と、
シート材を前記型に沿って成型することにより前記収容部を含む前記収容部材を成型する工程と、
を含む、
包装体の収容部材の製造方法。
【請求項１９】
薄型錠剤を入れるための包装体の収容部材の製造装置であって、
前記収容部材が、
入口と、
前記入口から窪んだ収容部と、
を含み、
前記入口から挿入された物体による力が、前記収容部に収容された前記薄型錠剤の一部に印加される力印加時に、前記収容部に収容された前記薄型錠剤の少なくとも一部が前記入口に向かって動く構造を、前記収容部材がもち、
前記製造装置が、
前記収容部に沿った形状の型と、
シート材を前記型に沿って成型する成型装置と、
を備える、
包装体の収容部材の製造装置。
【手続補正２】
【補正対象書類名】明細書
【補正対象項目名】００１０
【補正方法】変更
【補正の内容】
【００１０】
［態様１］
薄型錠剤を入れるための包装体であって、
収容部材を備え、
収容部材が、
入口と、
入口から窪んだ収容部と、
を含み、
入口から挿入された物体による力が、収容部に収容された薄型錠剤の一部に印加される力印加時に、収容部に収容された薄型錠剤の少なくとも一部が入口に向かって動く構造を、収容部材がもつ、
包装体。
［態様２］
力印加時に、収容部に収容された薄型錠剤の少なくとも一部が入口に向かって動く構造が、力印加時に、収容部に収容された薄型錠剤の他の一部が入口から突出する構造を含む、
態様１に記載の包装体。
［態様３］
入口が、仮想的な平面に平行に広がり、
収容部が、薄型錠剤を滑らせるための滑動面を収容部の内部に含み、
滑動面が、仮想的な平面に直交する方向において収容部の他の部分と重ならず、
滑動面が、仮想的な平面に対して傾斜している、
態様１又は態様２に記載の包装体。
［態様４］
仮想的な平面に対する滑動面の傾斜角度が、０度以上、７０度以下であり、
滑動面のうちの入口に最も近い領域における傾斜角度が０度より大きい、
態様３に記載の包装体。
［態様５］
仮想的な平面に対する滑動面の傾斜角度が、入口から離れるにつれて小さくなる、
態様４に記載の包装体。
［態様６］
入口を少なくとも部分的に覆うカバーを含む、
態様１から態様５のいずれか一項に記載の包装体。
［態様７］
収容部材が、収容部の外部において入口から広がる余白部を含み、
包装体が、カバーを剥離可能に余白部に接着する接着層を含む、
態様６に記載の包装体。
［態様８］
態様１から態様７のいずれか一項に記載の包装体と、
包装体の収容部内に収容された薄型錠剤と、
を備える、錠剤入り包装体。
［態様９］
態様３から態様５のいずれか一項に記載の包装体と、
包装体の収容部内に収容された薄型錠剤と、
を備え、
包装体が、入口を少なくとも部分的に覆うカバーを含み、
薄型錠剤が、
平面である２つの表面を含む本体と、
少なくとも１つの表面に設けられた突起と、
を備え、
２つの表面が、第１の表面と第２の表面とを含み、
突起が、第１の表面に設けられ、
第２の表面の外縁が滑動面上に接触した状態で薄型錠剤が収容部内に位置するとき、第１の表面に設けられた突起がカバーに向く、
錠剤入り包装体。
［態様１０］
態様３から態様５のいずれか一項に記載の包装体と、
包装体の収容部内に収容された薄型錠剤と、
を備え、
入口が、仮想的な平面に平行な円であり、
滑動面が、仮想的な平面に直交する仮想的な中心軸の周りで回転対称であり、
仮想的な中心軸が、入口の中心を通り、
滑動面が、入口から収容部内部において仮想的な中心軸に交わる位置まで連続的に広がる、
錠剤入り包装体。
［態様１１］
収容部が収容部の内部に、
薄型錠剤を載置することに適した載置台と、
入口から遠ざかる方向に向かって窪んだ溝と、
を含み、
載置台が、入口に向いた対向面を含み、
溝が、対向面の外縁の少なくとも一部から窪んだ、
態様２に記載の包装体。
［態様１２］
溝が、対向面の外縁の全体から窪んだ、
態様１１に記載の包装体。
［態様１３］
入口を少なくとも部分的に覆うカバーを含む、
態様１１又は態様１２に記載の包装体。
［態様１４］
収容部材が、収容部の外部において入口から広がる余白部を含み、
包装体が、カバーを剥離可能に余白部に接着する接着層を含む、
態様１３に記載の包装体。
［態様１５］
態様１１から態様１４のいずれか一項に記載の包装体と、
包装体の収容部内に収容された薄型錠剤と、
を備え、
薄型錠剤の一部が、入口と溝との間に位置する、
錠剤入り包装体。
［態様１６］
態様１３又は態様１４に記載の包装体と、
包装体の収容部内に収容された薄型錠剤と、
を備え、
薄型錠剤が、
平面である２つの表面を含む本体と、
少なくとも１つの表面に設けられた少なくとも１つの突起と、
を備え、
２つの表面が、第１の表面と第２の表面とを含み、
少なくとも１つの突起のうちの１つの突起が、第１の表面に設けられ、
薄型錠剤が載置台に載置された載置状態において、第１の表面が、カバーに向き、
載置状態において、第２の表面が、載置台に向き、
載置状態において、薄型錠剤の一部が、入口と溝との間に位置し、
載置状態において、第１の表面に設けられた突起がカバーに向く、
錠剤入り包装体。
［態様１７］
少なくとも１つの突起のうちの別の突起が、第２の表面に設けられ、
載置台が、対向面から窪んだ受容穴を含み、
受容穴が、入口から遠ざかる方向に向けて窪み、
載置状態において、第２の表面に設けられた突起の少なくとも一部が、受容穴に受容される、
態様１６に記載の、錠剤入り包装体。
［態様１８］
薄型錠剤を入れるための包装体の収容部材の製造方法であって、
収容部材が、
入口と、
入口から窪んだ収容部と、
を含み、
入口から挿入された物体による力が、収容部に収容された薄型錠剤の一部に印加される力印加時に、収容部に収容された薄型錠剤の少なくとも一部が入口に向かって動く構造を、収容部材がもち、
製造方法が、
収容部に沿った形状の型を用意する工程と、
シート材を型に沿って成型することにより収容部を含む収容部材を成型する工程と、
を含む、
包装体の収容部材の製造方法。
［態様１９］
薄型錠剤を入れるための包装体の収容部材の製造装置であって、
収容部材が、
入口と、
入口から窪んだ収容部と、
を含み、
入口から挿入された物体による力が、収容部に収容された薄型錠剤の一部に印加される力印加時に、収容部に収容された薄型錠剤の少なくとも一部が入口に向かって動く構造を、収容部材がもち、
製造装置が、
収容部に沿った形状の型と、
シート材を型に沿って成型する成型装置と、
を備える、
包装体の収容部材の製造装置。
【手続補正３】
【補正対象書類名】明細書
【補正対象項目名】００１２
【補正方法】変更
【補正の内容】
【００１２】
【図１】第１の実施形態の錠剤入り包装体の底面図である。
【図２】図１の２−２線における錠剤入り包装体の切断面図である。
【図３】図１の薄型錠剤の斜視図である。
【図４】図３の薄型錠剤の底面図である。
【図５】図３の薄型錠剤の正面図である。
【図６】図３の薄型錠剤を外部平面上に配置した状態における正面図である。
【図７】図２の滑動面の切断面図である。
【図８】図２の収容部材と動かされた薄型錠剤との切断面図である。
【図９】図１の錠剤入り包装体の製造方法を示すフロー図である。
【図１０】図１の収容部材の製造装置及び成型前のシート材の切断面図である。
【図１１】図１の収容部材の製造装置及び成型後の収容部材の切断面図である。
【図１２】第２の実施形態の錠剤入り包装体の切断面図である。
【図１３】第３の実施形態の錠剤入り包装体の底面図である。
【図１４】図１３の１４−１４線における錠剤入り包装体の切断面図である。
【図１５】第４の実施形態の錠剤入り包装体の切断面図である。
【図１６】第５の実施形態の錠剤入り包装体の底面図である。
【図１７】図１６の１７−１７線における錠剤入り包装体の切断面図である。
【図１８】図１６に示す収容部材の平面図である。
【図１９】図１６の収容部材と動かされた薄型錠剤との切断面図である。
【図２０】図１６の収容部材の製造装置及び成型後の収容部材の切断面図である。
【図２１】第６の実施形態の錠剤入り包装体の切断面図である。
【手続補正４】
【補正対象書類名】明細書
【補正対象項目名】００３１
【補正方法】変更
【補正の内容】
【００３１】
上記の薄型錠剤１００の材料は、崩壊性粒子組成物に薬効成分（又は、該薬効成分を含む医薬組成物）及びその他の上記の任意成分を混合して得られた混合物である。薄型錠剤１００の製造装置は、型の形状を除いて、当業者に知られた適当な打錠機である。薄型錠剤１００は例えば、打錠圧縮力約２〜２０ｋN、好ましくは約５〜２０ｋNで打錠する。ステアリン酸マグネシウムのような滑沢剤を予め打錠機の型（臼・杵とも呼ばれる）に噴霧又は塗布して滑沢する、「外部滑沢打錠法」と呼ばれる方法を用いることもできる。
【手続補正５】
【補正対象書類名】明細書
【補正対象項目名】００４８
【補正方法】変更
【補正の内容】
【００４８】
図１０及び図１１は、真空成型による収容部材１４２の作成方法を説明する製造装置１０１及びシート材１６８の切断面図（断面以外は省略）である。図１０は成型前、図１１は成型後の状態を示す。製造装置１０１は、型１６４と成型装置１０２とを含む。製造のとき、図１０に示すような型１６４が用意される。なお、型１６４と凹凸が逆の型が使用されてもよい。
【手続補正６】
【補正対象書類名】明細書
【補正対象項目名】００８７
【補正方法】変更
【補正の内容】
【００８７】
カバー３４３は、ｘｙ平面に平行な連続した１枚のシート材で形成されており、収容部材３４２のｚ１側に位置する。カバー３４３は、概ね入口３４７の全体をたるみ無く覆うとともに、余白部３４５を覆う。ｚ方向における余白部３４５とカバー３４３との間には、ｘｙ平面に平行に広がる接着層３４４が挟まれている。接着層３４４は、カバー３４３を剥離可能に余白部３４５に接着する。カバー３４３は、外縁の一部に持ち手部３４９を含む。持ち手部３４９と余白部３４５との間には接着層３４４が存在しない。
【手続補正７】
【補正対象書類名】明細書
【補正対象項目名】０１０７
【補正方法】変更
【補正の内容】
【０１０７】
（製造方法）
図２０は、本実施形態の錠剤入り包装体５４０の収容部材５４２を作成するための型５８０及び成型後の収容部材５４２の切断面図（断面以外は省略）である。本実施形態の錠剤入り包装体５４０は、第１の実施形態と同様の製造装置及び製造方法により製造されるが、使用する型５８０が異なる。
【手続補正８】
【補正対象書類名】明細書
【補正対象項目名】０１２４
【補正方法】変更
【補正の内容】
【０１２４】
１００…薄型錠剤、１０１…製造装置、１０２…成型装置、１１０…本体、
１１１…表面、１１２…側面、１１３…外縁、１２０…突起、１３０…外部平面、
１３５…隙間、１４０…錠剤入り包装体、１４１…包装体、１４２…収容部材、
１４３…カバー、１４４…接着層、１４５…余白部、１４６…収容部、１４７…入口、
１４８…滑動面、１４９…持ち手部、１６４…型、１６７…吸引孔、１６８…シート材、
２５２…返し、３５３…壁部、５７０…載置台、５７１…溝、
５７２…対向面、５７３…受容穴、５７４…外縁、５７５…内縁、５７６…内壁、
５７７…外壁、５７８…底壁、５８０…型